(57)【要約】【課題】例えば、狭路や高所にある鉄材，鉄片，鉄粉等の磁性部材をその周りの他の部材に干渉されることなく容易に吸着，移動，除去できる取り扱い性のよい簡便構造のマグネットハンドを提供する。【解決手段】マグネットハンド１００は、磁石１とこの外周を被包する非磁性体の保持部２とこれに連結される握持可能の細長の柄部３等とからなる。柄部３を握持し保持部２等を狭路等に挿入することにより保持部２を磁性部材以外の部分に吸着させることなくマグネットハンド１００の全体を目的の場所に挿入又は位置決めすることができる。【選択図】図１
0003113766.tif 000002
【実用新案登録請求の範囲】
【請求項１】
鉄材，鉄片，鉄粉等の磁性部材を吸着し、前記磁性部材の移動又は除去するためのマグネットハンドであって、該マグネットハンドは、磁石と、これを前端側に保持する非磁性体の保持部と、該保持部の後端側に連結し握持可能な大きさの細長な柄部とを有し、前記磁石は前記保持部によりその外周を被包されるものからなることを特徴とするマグネットハンド。
【請求項２】
前記柄部が折り曲げ可能の構造のものからなることを特徴とする請求項１に記載のマグネットハンド。
【請求項３】
前記保持部には、照明体が付設され、前記柄部には前記照明体のスイッチ及び電源が設けられることを特徴とする請求項１又は２に記載のマグネットハンド。
【考案の詳細な説明】
【技術分野】
【０００１】
本考案は、磁性部材を吸着，移動，除去するためのマグネットハンドに係り、特に、前記磁性部材の存在する部位の磁性部材以外の部分に磁着せず、狭路や高所にある前記磁性部材の吸着等が可能なマグネットハンドに関する。
【背景技術】
【０００２】
最も簡単な構造のマグネットハンドとしては図６に示すようなものがある。このマグネットハンド１００ｂは磁石１ｂと、これを前端側に保持する保持部２ｂと、柄部３ｂを有するものからなる。但し、この保持部２ｂは通常磁性体からなる。また、マグネットハンドに関する公知技術の１つとして「特許文献１」が挙げられる。
【特許文献１】特開２０００−２６３４８５（図３）
【考案の開示】
【考案が解決しようとする課題】
【０００３】
図６に示したマグネットハンド１００ｂは簡便なものであるが、保持部２ｂが鉄材のような磁性体からなるため保持部２ｂそのものも磁力を有するものとなり、鉄材等の磁性部材を吸着しようとする際に保持部２ｂが磁性部材以外の磁性体に吸着し、マグネットハンド１００ｂそのものを前記磁性部材の存在する場所に楽に持って行けない問題点がある。また、保持部２ｂの外周にも前記磁性部材が吸着し、その除去が面倒又は手間がかかる問題もある。
【０００４】
一方、「特許文献１」の特開２０００−２６３４８５号の「マグネットハンド」は、その（図３）等あるように、鉄製の吸着板（５）とその先端側にある鉄製の爪（１７）や吸着面（１３）と、これ等の内部に設けられる電磁コイル（９）等とからなり、（図３）等に示すように、爪（１７）や吸着面（１３）を電磁コイル（９）により磁性体にしてワークの１つであるアーマチュア（１０）を吸着する構造のものからなる。従って、この「マグネットハンド」も図６のマグネットハンド１００ｂとほぼ同じ問題点がある。
【０００５】
本考案は、以上の問題点を解決するもので、簡便で、取り扱い性がよく、磁石の部分のみに磁性部材が吸着し、かつ狭路や高所にある前記磁性部材の吸着等ができるマグネットハンドを提供することを目的とする。
【課題を解決するための手段】
【０００６】
本考案は、以上の目的を達成するために、請求項１の考案は、鉄材，鉄片，鉄粉等の磁性部材を吸着し、前記磁性部材の移動又は除去するためのマグネットハンドであって、該マグネットハンドは、磁石と、これを前端側に保持する非磁性体の保持部と、該保持部の後端側に連結し握持可能な大きさの細長な柄部とを有し、前記磁石は前記保持部によりその外周を被包されるものからなることを特徴とする。
【０００７】
また、請求項２の考案は、前記柄部が折り曲げ可能の構造のものからなることを特徴とする。
【０００８】
また、請求項３の考案は、前記保持部には、照明体が付設され、前記柄部には前記照明体のスイッチ及び電源が設けられることを特徴とする。
【考案の効果】
【０００９】
本考案の請求項１のマグネットハンドによれば、磁石は非磁性体の保持部によって外周を覆われているため磁石の前面にのみ磁性部材が吸着し、保持部には吸着せず、かつ保持部は磁性部材の存在する他の磁性体に吸着することがない。そのため、磁石を目的物の所に簡単に持ち込み可能である。また、細長の柄部があるため、狭路や高所に磁石や保持部を位置付けることが容易にできる。
【００１０】
また、請求項２のマグネットハンドによれば、柄部が折り曲げ可能のため、狭路へのマグネットハンドの挿入や高所への位置決めが容易にでき、取り扱い性の向上が図れる。
【００１１】
また、請求項３のマグネットハンドによれば、照明が付設されているため、磁性部材の吸着作業が容易にできる。また、照明のスイッチや電源がマグネットハンド自体に設けられているため照明のオンオフ等が容易に行われる。
【考案を実施するための最良の形態】
【００１２】
以下、本考案のマグネットハンドの実施の形態を図面を参照して詳述する。
【実施例１】
【００１３】
図１は本考案の実施例の１つであるマグネットハンド１００の全体構造を示すものである。図示のようにマグネットハンド１００は、磁石１と、保持部２及び柄部３とからなる。磁石１は公知の永久磁石からなり、例えば、円筒体からなるが、勿論これに限定するものではない。保持部２は例えば、真鍮材のような非磁性体からなり、図示のように磁石１の外周を完全に被包するものからなる。なお、図１では保持部２の前端が磁石１の表面外縁を覆っている係止部４を有する構造からなり、かつ磁石１の背面の当接する段部４を有するものからなるが、これは磁石１を保持部２に確実に保持するためのものであり、この構造に限定するものではない。一方、柄部３は図示のように保持部２の後端側に連結する細長の棒体からなり、手で握持可能の外径を有し、保持部２と一体構造のものでもよく、保持部２に連結される他の部材からなるものでもよい。なお、柄部３は非磁性体に限定しなくてもよい。
【実施例２】
【００１４】
図２は実施例２のマグネットハンド１００ａを示す。このものは磁石１ａや保持部２ａの構造は前記の実施例１の磁石１や保持部２とほぼ同一のものからなるが、柄部３ａの構造が相異する。柄部３ａは例えば、その中間をピン６により連結したものからなり、柄部３ａの前側と後側とが折り曲げ可能に連結したものからなる。但し、単なるピン６によりピン結合の場合は折り曲げ角度が大きく、取り扱い性が悪いためある回動角以上は回動しない公知の拘束手段（図略）を有するものが望ましい。
【実施例３】
【００１５】
図３は本考案の別の実施例を示す。このマグネットハンドは実施例１又は実施例２のマグネットハンド１００又は１００ａに照明体を付設したものである。即ち、例えば、保持部２（２ａ）の外周にはＬＥＤのような照明体７が固定され、柄部３（３ａ）にはスイッチ８が照明体７に連結して設けられ、柄部３（３ａ）の内部にはスイッチ８に連結される電源の１つである電池９が収納される。以上の構造によりスイッチ８のオン動作により照明体７が点灯し、マグネットハンド１００（１００ａ）の前端側から照明光が発する。これにより、マグネットハンド１００（１００ａ）を所望の場所に持ち込み、磁性部材を吸着することが容易にできる。なお、この照明構造は以上のものに限定するものでないことは勿論である。
【００１６】
図４は、例えば、実施例２のマグネットハンド１００ａによる磁性部材１０の吸着方法を示すものである。この磁性部材１０は狭路１１に存在しているため、本考案のような棒体状のマグネットハンド１００ａでないと挿入が難しい。特に、このマグネットハンド１００ａは折り曲げ可能の細長の棒体からなり狭路１１内への挿入は容易である。また、狭路１１の壁１２，１３や床１４が仮りに磁性体であっても保持部２（２ａ）が非磁性体のためマグネットハンド１００（１００ａ）はこれ等の部分に吸着されず、結果として磁石１（１ａ）にのみ磁性部材１０が吸着され、これ等を移動又は除去することが容易にできる。
【００１７】
図５はマグネットハンド１００ａを用いて高所１５にある磁性部材１０を吸着する様子を示すものである。この場合も柄部３ａが折り曲げ可能であり、かつ細長の棒体からなるため、高所１５にある磁性部材１０を容易に吸着することができる。この場合も高所１５の磁性部材１０の乗っている台１６が磁性体であっても保持部２ａにより磁性１ａが被包されているため、ほぼ磁石１ａによってのみ磁性部材１０の吸着が可能になる。
【００１８】
以上のように、本考案のマグネットハンド１００（１００ａ）によれば、狭路や高所等にある磁性部材１０の吸着，移動，除去が容易にでき、かつ前記のように他の場所に吸着せず、極めて取り扱い性の向上が図れる。
【産業上の利用可能性】
【００１９】
本考案のマグネットハンドは前記のような磁性部材の吸着，移動，除去に限定するものではなく、仮りに磁石が電磁石のようなものからなり、その磁力がオンオフ可能の場合には、磁性部材を目的の場所に持ち込んで磁力を開放して移動させることも可能であり、落下物の吸着拾い上げも可能であり、その利用範囲は広い。
【図面の簡単な説明】
【００２０】
【図１】本考案のマグネットハンドの一例の全体構造を示す部分断面を有する平面図。
【図２】本考案のマグネットハンドの他の例の全体構造を示す部分断面を有する平面図。
【図３】照明体を設けた本考案のマグネットハンドを示す模式的平面図。
【図４】本考案のマグネットハンドの使用方法を示す模式図。
【図５】本考案のマグネットハンドの使用方法を示す模式図。
【図６】従来のマグネットハンドの一例の全体構造を示す部分平面図。
【符号の説明】
【００２１】
１    磁石
１ａ  磁石
１ｂ  磁石
２    保持部
２ａ  保持部
２ｂ  保持部
３    柄部
３ａ  柄部
３ｂ  柄部
４    係止部
５    段部
６    ピン
７    照明体
８    スイッチ
９    電池
１０  磁性部材
１１  狭路
１２  壁部
１３  壁部
１４  床
１５  高所
１６  台
【図１】
0003113766.tif 000003
【図２】
0003113766.tif 000004
【図３】
0003113766.tif 000005
【図４】
0003113766.tif 000006
【図５】
0003113766.tif 000007
【図６】
0003113766.tif 000008